【手続補正書】
【提出日】平成28年10月7日(2016.10.7)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
アクセスポイントにおいて、どの無線局からのパケットも前記アクセスポイントが無視する時間期間を特定するメッセージを生成することと、前記メッセージは、前記アクセスポイントが無線局の選択されたグループのために予約されたと宣言する時間期間を定義するための、限定されたアクセス・ウィンドウを特定し、前記メッセージは、前記限定されたアクセス・ウィンドウの間前記アクセスポイントがどのパケットも無視することを示す、
前記メッセージを、前記アクセスポイントから、前記アクセスポイントに関連付けられた１つまたは複数の無線局へ送信することと、
を備える方法。
【請求項２】
前記アクセスポイントを、複数の無線局に関連付けることをさらに備え、前記メッセージが、前記複数の無線局へ送信される、請求項１に記載の方法。
【請求項３】
無線局の選択されたグループからのパケットを前記アクセスポイントが受け取る、限定されたアクセス・ウィンドウを、前記メッセージが特定することをさらに備え、前記メッセージはさらに、前記アクセスポイントが前記限定されたアクセス・ウィンドウ外のどのパケットも無視することを示す、請求項１に記載の方法。
【請求項４】
前記選択されたグループが無線局を含んでいないことを示すフラグを前記メッセージがさらに含むことをさらに備える、請求項１に記載の方法。
【請求項５】
３つのフィールドによって定義されるべき無線局の選択されたグループによるアクセスを許可する限定されたアクセス・ウィンドウを前記メッセージが特定することをさらに備え、前記３つのフィールドは、前記選択されたグループの階層的な関連付け識別情報（ＡＩＤ）についてのページ・インデクスを示すページ識別情報と、前記選択されたグループの開始ブロック・インデクスを示すブロック・オフセットと、前記選択されたグループのブロックの数を示すブロック範囲とを含み、
前記メッセージは、３つのフィールドすべてに０の値を割り当てることによって、または、有効なＡＩＤをもたらさない任意の組み合わせを前記３つのフィールドに割り当てることによって、前記選択されたグループがエンプティであることを示す、請求項１に記載の方法。
【請求項６】
アクセスポイントであって、
前記アクセスポイントがどの無線局からのパケットも無視する時間期間を特定するメッセージを生成する手段と、前記メッセージは、前記アクセスポイントが無線局の選択されたグループのために予約されたと宣言する時間期間を定義するための、限定されたアクセス・ウィンドウを特定し、前記メッセージは、前記限定されたアクセス・ウィンドウの間前記アクセスポイントがどのパケットも無視することを示す、
前記メッセージを、前記アクセスポイントに関連付けられた１つまたは複数の無線局へ送信する手段と、
を備えるアクセスポイント。
【請求項７】
メッセージを生成するための前記手段は、プロセッサによって提供され、
前記メッセージを送信するための前記手段は、前記プロセッサに接続された送信機によって提供される、
請求項６に記載のアクセスポイント。
【請求項８】
ワイヤレス通信の方法であって、
無線局において、アクセスポイントがどの無線局からのパケットも無視する時間期間を特定するメッセージを、前記アクセスポイントから受信することと、前記メッセージは、前記アクセスポイントが無線局の選択されたグループのために予約されたと宣言する時間期間を定義するための、限定されたアクセス・ウィンドウを特定し、前記メッセージは、前記限定されたアクセス・ウィンドウの間前記アクセスポイントがどのパケットも無視することを示す、
前記無線局において、前記特定された時間期間中、前記アクセスポイントへパケットを送信することを控えることと、
を備える方法。
【請求項９】
無線局の選択されたグループからのパケットを前記アクセスポイントが受け取る、限定されたアクセス・ウィンドウを、前記メッセージが特定することをさらに備え、前記メッセージはさらに、前記アクセスポイントが前記限定されたアクセス・ウィンドウ外のどのパケットも無視することを示す、請求項８に記載の方法。
【請求項１０】
前記選択されたグループが無線局を含んでいないことを示すフラグを前記メッセージがさらに含むことをさらに備える、請求項８に記載の方法。
【請求項１１】
３つのフィールドによって定義されるべき無線局の選択されたグループによるアクセスを許可する限定されたアクセス・ウィンドウを前記メッセージが特定することをさらに備え、前記３つのフィールドは、前記選択されたグループの階層的な関連付け識別情報（ＡＩＤ）についてのページ・インデクスを示すページ識別情報と、前記選択されたグループの開始ブロック・インデクスを示すブロック・オフセットと、前記選択されたグループのブロックの数を示すブロック範囲とを含み、
前記メッセージは、３つのフィールドすべてに０の値を割り当てることによって、または、有効なＡＩＤをもたらさない任意の組み合わせを前記３つのフィールドに割り当てることによって、前記選択されたグループがエンプティであることを示す、
請求項８に記載の方法。
【請求項１２】
無線局であって、
アクセスポイントがどの無線局からのパケットも無視する時間期間を特定するメッセージを、前記アクセスポイントから受信する手段と、前記メッセージは、前記アクセスポイントが無線局の選択されたグループのために予約されたと宣言する時間期間を定義するための、限定されたアクセス・ウィンドウを特定し、前記メッセージは、前記限定されたアクセス・ウィンドウの間前記アクセスポイントがどのパケットも無視することを示す、
前記特定された時間期間中、前記アクセスポイントへパケットを送信することを控える手段と、
を備える無線局。
【請求項１３】
前記メッセージは、前記選択されたグループが無線局を含んでいないことを示すフラグをさらに備える、請求項１２に記載の無線局。
【請求項１４】
前記受信するための手段は、受信機によって提供され、
控えるための手段は、前記受信機に接続されたプロセッサによって提供される、
請求項１２に記載の無線局。
【請求項１５】
請求項１から請求項５または請求項８から請求項１１のうちの１つの方法のすべてのステップを実施するようにコンピュータ実行可能なプログラム命令を備える、コンピュータプログラム。
【手続補正２】
【補正対象書類名】明細書
【補正対象項目名】００８４
【補正方法】変更
【補正の内容】
【００８４】
[0095]以上の説明は、本開示の諸態様を対象としているが、これら開示のその他およびさらなる態様が、本願の基本的な範囲から逸脱することなく考案され、それらの範囲は、添付の特許請求の範囲によって決定される。
以下に本願の出願当初の特許請求の範囲に記載された発明を付記する。
[Ｃ１]  アクセスポイントであって、
前記アクセスポイントがどの無線局からのパケットをも無視する時間期間を特定するメッセージを生成するように構成されたプロセッサと、
前記プロセッサに接続されており、前記メッセージを、前記アクセスポイントに関連付けられた１つまたは複数の無線局へ送信するように構成された送信機と、を備えるアクセスポイント。
[Ｃ２]  前記アクセスポイントは、複数の無線局に関連付けられるように構成され、前記送信機は、前記メッセージを、前記複数の無線局へ送信するように構成された、Ｃ１に記載のアクセスポイント。
[Ｃ３]  無線局の選択されたグループからのパケットを前記アクセスポイントが受け取る、限定されたアクセス・ウィンドウを、前記メッセージが特定することをさらに備え、前記メッセージはさらに、前記アクセスポイントが前記限定されたアクセス・ウィンドウ外のどのパケットをも無視することを示す、Ｃ１に記載のアクセスポイント。
[Ｃ４]  前記メッセージが、前記限定されたアクセス・ウィンドウのための最小予約時間を含むことをさらに備え、前記送信機はさらに、前記限定されたアクセス・ウィンドウを、前記最小予約時間を超えて延長するようにとの、無線局からの要求に応答して、前記限定されたアクセス・ウィンドウが、特定の時間量だけ延長されることを示すメッセージを送信するように構成された、Ｃ３に記載のアクセスポイント。
[Ｃ５]  前記メッセージが、前記限定されたアクセス・ウィンドウのための最大予約時間を含むことをさらに備え、前記送信機はさらに、前記最大予約時間に達する前に、前記選択されたグループにおけるすべての無線局がスリープしていることが検出されると、前記限定されたアクセス・ウィンドウが終了していることを示すメッセージを送信するように構成された、Ｃ３に記載のアクセスポイント。
[Ｃ６]  前記限定されたアクセス・ウィンドウの間、前記アクセスポイントは、どの無線局からのパケットをも無視することを前記メッセージが示すこと、をさらに備える、Ｃ３に記載のアクセスポイント。
[Ｃ７]  前記メッセージが、限定されたアクセス・ウィンドウを特定し、前記メッセージがまた、前記限定されたアクセス・ウィンドウの間前記アクセスポイントがどのパケットをも無視することを示すこと、をさらに備える、Ｃ１に記載のアクセスポイント。
[Ｃ８]  前記アクセスポイントがどのパケットをも無視する時間ウィンドウを、前記限定されたアクセス・ウィンドウが定義すること、をさらに備える、Ｃ７に記載のアクセスポイント。
[Ｃ９]  無線局の選択されたグループによるアクセスを許可する、限定されたアクセス・ウィンドウを、前記メッセージが特定することをさらに備え、前記メッセージはさらに、前記選択されたグループが無線局を含んでいないことを示すフラグを含む、Ｃ７に記載のアクセスポイント。
[Ｃ１０]  ３つのフィールドによって定義されるべき無線局の選択されたグループによるアクセスを許可する限定されたアクセス・ウィンドウを前記メッセージが特定することをさらに備え、前記３つのフィールドは、前記選択されたグループの階層的な関連付け識別情報（ＡＩＤ）についてのページ・インデクスを示すページ識別情報と、前記選択されたグループの開始ブロック・インデクスを示すブロック・オフセットと、前記選択されたグループのブロックの数を示すブロック範囲とを含み、前記メッセージは、３つのフィールドすべてに０の値を割り当てることによって、または、有効なＡＩＤをもたらさない任意の組み合わせを前記３つのフィールドに割り当てることによって、前記選択されたグループがエンプティであることを示す、Ｃ７に記載のアクセスポイント。
[Ｃ１１]  ワイヤレス通信の方法であって、
アクセスポイントにおいて、どの無線局からのパケットをも前記アクセスポイントが無視する時間期間を特定するメッセージを生成することと、
前記メッセージを、前記アクセスポイントから、前記アクセスポイントに関連付けられた１つまたは複数の無線局へ送信することと、を備える方法。
[Ｃ１２]  前記アクセスポイントを、複数の無線局に関連付けることをさらに備え、前記メッセージが、前記複数の無線局へ送信される、Ｃ１１に記載の方法。
[Ｃ１３]  無線局の選択されたグループからのパケットを前記アクセスポイントが受け取る、限定されたアクセス・ウィンドウを、前記メッセージが特定することをさらに備え、前記メッセージはさらに、前記アクセスポイントが前記限定されたアクセス・ウィンドウ外のどのパケットをも無視することを示す、Ｃ１１に記載の方法。
[Ｃ１４]  前記限定されたアクセス・ウィンドウのための最小予約時間を前記メッセージが含むことをさらに備え、
前記限定されたアクセス・ウィンドウを、前記最小予約時間を超えて延長するようにとの要求を、前記無線局から受信することと、
前記限定されたアクセス・ウィンドウが特定の時間量だけ延長されることを示すメッセージを、前記アクセスポイントから前記無線局へ送信することとをさらに備える、Ｃ１３に記載の方法。
[Ｃ１５]  前記メッセージが、前記限定されたアクセス・ウィンドウのための最大予約時間を含むことをさらに備え、前記方法はさらに、
前記最大予約時間に達する前に、前記選択されたグループにおけるすべての無線局がスリープしていることが検出されると、前記限定されたアクセス・ウィンドウが終了したことを示すメッセージを送信することを備える、Ｃ１３に記載の方法。
[Ｃ１６]  前記限定されたアクセス・ウィンドウの間、前記アクセスポイントがどの無線局からのパケットをも受け取ることを前記メッセージが示すことをさらに備える、Ｃ１３に記載の方法。
[Ｃ１７]  前記メッセージが、限定されたアクセス・ウィンドウを特定し、前記メッセージがまた、前記限定されたアクセス・ウィンドウの間前記アクセスポイントがどのパケットをも無視することを示すこと、をさらに備える、Ｃ１１に記載の方法。
[Ｃ１８]  前記アクセスポイントがどのパケットをも無視する時間ウィンドウとして、前記限定されたアクセス・ウィンドウが定義される、Ｃ１７に記載の方法。
[Ｃ１９]  無線局の選択されたグループによるアクセスを許可する、限定されたアクセス・ウィンドウを前記メッセージが特定することをさらに備え、前記メッセージはさらに、前記選択されたグループが無線局を含んでいないことを示すフラグを含む、Ｃ１７に記載の方法。
[Ｃ２０]  ３つのフィールドによって定義されるべき無線局の選択されたグループによるアクセスを許可する限定されたアクセス・ウィンドウを特定する前記メッセージをさらに備え、前記３つのフィールドは、前記選択されたグループの階層的な関連付け識別情報（ＡＩＤ）についてのページ・インデクスを示すページ識別情報と、前記選択されたグループの開始ブロック・インデクスを示すブロック・オフセットと、前記選択されたグループのブロックの数を示すブロック範囲とを含み、
前記メッセージは、３つのフィールドすべてに０の値を割り当てることによって、または、有効なＡＩＤをもたらさない任意の組み合わせを前記３つのフィールドに割り当てることによって、前記選択されたグループがエンプティであることを示す、Ｃ１７に記載の方法。
[Ｃ２１]  アクセスポイントであって、
前記アクセスポイントがどの無線局からのパケットも無視する時間期間を特定するメッセージを生成する手段と、
前記メッセージを、前記アクセスポイントに関連付けられた１つまたは複数の無線局へ送信する手段と、を備えるアクセスポイント。
[Ｃ２２]  局によるワイヤレス通信のための方法を実施するように構成されたコンピュータ実行可能な命令群を備える非一時的なコンピュータ読取可能な記憶媒体であって、前記方法は、
アクセスポイントにおいて、前記アクセスポイントがどの無線局からのパケットをも無視する時間期間を特定するメッセージを生成することと、
前記メッセージを、前記アクセスポイントから、前記アクセスポイントに関連付けられた１つまたは複数の無線局へ送信することと、を備える、非一時的なコンピュータ読取可能な記憶媒体。
[Ｃ２３]  無線局であって、
アクセスポイントがどの無線局からのパケットをも無視する時間期間を特定するメッセージを、前記アクセスポイントから受信するように構成された、受信機と、
前記受信機に接続されており、前記特定された時間期間中、前記アクセスポイントへパケットを送信することを控えるように構成された、プロセッサと、を備える無線局。
[Ｃ２４]  無線局の選択されたグループからのパケットを前記アクセスポイントが受け取る、限定されたアクセス・ウィンドウを、前記メッセージが特定することをさらに備え、前記メッセージは、前記アクセスポイントが前記限定されたアクセス・ウィンドウ外のどのパケットをも無視することをさらに示す、Ｃ２３に記載の無線局。
[Ｃ２５]  前記メッセージがさらに、前記限定されたアクセス・ウィンドウのための最小予約時間を含むことをさらに備え、前記プロセッサはさらに、前記限定されたアクセス・ウィンドウを、前記最小予約時間を超えて延長するようにとの要求を、前記アクセスポイントへ送信するように構成された、Ｃ２４に記載の無線局。
[Ｃ２６]  前記メッセージがさらに、前記限定されたアクセス・ウィンドウのための最大予約時間を含むことをさらに備え、前記受信機はさらに、前記限定されたアクセス・ウィンドウが終了したことを示すメッセージを前記アクセスポイントから受信するように構成された、Ｃ２４に記載の無線局。
[Ｃ２７]  無線局の選択されたグループからのパケットを前記アクセスポイントが受け取る、限定されたアクセス・ウィンドウを、前記メッセージが特定することをさらに備え、前記メッセージはさらに、前記アクセスポイントが前記限定されたアクセス・ウィンドウ外のどのパケットをも無視することを示す、Ｃ２３に記載の無線局。
[Ｃ２８]  前記メッセージが、限定されたアクセス・ウィンドウを特定し、前記メッセージがまた、前記限定されたアクセス・ウィンドウの間前記アクセスポイントがどのパケットをも無視することを示すこと、をさらに備える、Ｃ２３に記載の無線局。
[Ｃ２９]  前記限定されたアクセス・ウィンドウは、前記アクセスポイントがどのパケットをも無視する時間ウィンドウとして定義される、Ｃ２８に記載の無線局。
[Ｃ３０]  前記メッセージは、無線局の選択されたグループによるアクセスを許可する、限定されたアクセス・ウィンドウを特定し、前記メッセージはさらに、前記選択されたグループが、どの無線局も含んでいないことを示すフラグを含む、Ｃ３１に記載の無線局。
[Ｃ３１]  ３つのフィールドによって定義されるべき無線局の選択されたグループによるアクセスを許可する限定されたアクセス・ウィンドウを前記メッセージが特定することをさらに備え、前記３つのフィールドは、前記選択されたグループの階層的な関連付け識別情報（ＡＩＤ）についてのページ・インデクスを示すページ識別情報と、前記選択されたグループの開始ブロック・インデクスを示すブロック・オフセットと、前記選択されたグループのブロックの数を示すブロック範囲とを含み、
前記メッセージは、３つのフィールドすべてに０の値を割り当てることによって、または、有効なＡＩＤをもたらさない任意の組み合わせを前記３つのフィールドに割り当てることによって、前記選択されたグループがエンプティであることを示す、Ｃ２８に記載の無線局。
[Ｃ３２]  ワイヤレス通信の方法であって、
無線局において、アクセスポイントがどの無線局からのパケットも無視する時間期間を特定するメッセージを、前記アクセスポイントから受信することと、
前記無線局において、前記特定された時間期間中、前記アクセスポイントへパケットを送信することを控えることと、を備える方法。
[Ｃ３３]  無線局の選択されたグループからのパケットを前記アクセスポイントが受け取る、限定されたアクセス・ウィンドウを、前記メッセージが特定することをさらに備え、前記メッセージはさらに、前記アクセスポイントが前記限定されたアクセス・ウィンドウ外のどのパケットをも無視することを示す、Ｃ３２に記載の方法。
[Ｃ３４]  前記限定されたアクセス・ウィンドウのための最小予約時間を前記メッセージが含むことをさらに備え、前記方法はさらに、前記限定されたアクセス・ウィンドウを、前記最小予約時間を超えて延長するようにとの要求を、前記無線局から前記アクセスポイントへ送信することを備える、Ｃ３３に記載の方法。
[Ｃ３５]  前記メッセージが、前記限定されたアクセス・ウィンドウのための最大予約時間を含むことをさらに備え、前記無線局において、前記限定されたアクセス・ウィンドウが終了したことを示すメッセージを前記アクセスポイントから受信することをさらに備える、Ｃ３６に記載の方法。
[Ｃ３６]  前記限定されたアクセス・ウィンドウの間、前記アクセスポイントがどの無線局からのパケットをも受け取ることを前記メッセージが示すことをさらに備える、Ｃ３３に記載の方法。
[Ｃ３７]  前記メッセージが、限定されたアクセス・ウィンドウを特定し、前記メッセージがまた、前記限定されたアクセス・ウィンドウの間前記アクセスポイントがどのパケットをも無視することを示すこと、をさらに備える、Ｃ３２に記載の方法。
[Ｃ３８]  前記限定されたアクセス・ウィンドウは、前記アクセスポイントがどのパケットをも無視する時間ウィンドウとして定義される、Ｃ３７に記載の方法。
[Ｃ３９]  無線局の選択されたグループによるアクセスを許可する、限定されたアクセス・ウィンドウを前記メッセージが特定することをさらに備え、前記メッセージはさらに、前記選択されたグループが、どの無線局も含んでいないことを示すフラグを含む、Ｃ３７に記載の方法。
[Ｃ４０]  ３つのフィールドによって定義されるべき無線局の選択されたグループによるアクセスを許可する限定されたアクセス・ウィンドウを前記メッセージが特定することをさらに備え、前記３つのフィールドは、前記選択されたグループの階層的な関連付け識別情報（ＡＩＤ）についてのページ・インデクスを示すページ識別情報と、前記選択されたグループの開始ブロック・インデクスを示すブロック・オフセットと、前記選択されたグループのブロックの数を示すブロック範囲とを含み、
前記メッセージは、３つのフィールドすべてに０の値を割り当てることによって、または、有効なＡＩＤをもたらさない任意の組み合わせを前記３つのフィールドに割り当てることによって、前記選択されたグループがエンプティであることを示す、Ｃ３７に記載の方法。
[Ｃ４１]  無線局であって、
アクセスポイントがどの無線局からのパケットをも無視する時間期間を特定するメッセージを、前記アクセスポイントから受信する手段と、
前記特定された時間期間中、前記アクセスポイントへパケットを送信することを控える手段と、を備える無線局。
[Ｃ４２]  局によるワイヤレス通信のための方法を実施するように構成されたコンピュータ実行可能な命令群を備える非一時的な物理コンピュータ・ストレージであって、
前記方法は、無線局において、アクセスポイントがどの無線局からのパケットをも無視する時間期間を特定するメッセージを前記アクセスポイントから受信することと、前記無線局において、前記特定された時間期間中、前記アクセスポイントへパケットを送信することを控えることとを備える、非一時的な物理コンピュータ・ストレージ。